(57)【要約】【課題】データベースを利用して検索した情報を用いて、他者が効率的に検索を行うことを可能とする検索情報管理方法およびシステムを提供する。【解決手段】ローカル端末１０ａから管理サーバ３０にアクセスし、データベース４０の検索を行うと、検索結果が得られる。この状態でローカル端末１０ａからバスケット情報を作成する指示を行なうと、検索結果がバスケット情報として保存される。このバスケット情報をローカル端末１０ａからローカル端末１０ｂに送信しておくと、ローカル端末１０ｂからは検索条件を入力せず、バスケット情報を管理サーバ３０に送信するだけでデータベース４０からの情報の取得が可能となる。【選択図】  図１
2004355515.tif 000002
【特許請求の範囲】
【請求項１】
利用者もしくは管理者が利用する複数のローカル端末から、データベースを管理するサーバコンピュータであるデータベースサーバにアクセスして情報を検索する検索システムにおいて検索情報を管理する方法であって、
第１のローカル端末から検索結果であるバスケット情報を第２のローカル端末に送信する段階と、
前記第２のローカル端末から前記バスケット情報を前記データベースサーバに送信する段階と、
前記第２のローカル端末から受け取ったバスケット情報に従って前記データベースサーバがデータベースを検索して該当する情報を抽出する段階と、
前記抽出した情報と前記バスケット情報を前記第２のローカル端末に送信する段階と、
を有することを特徴とする検索情報管理方法。
【請求項２】
利用者もしくは管理者が利用するローカル端末から、データベースを管理するサーバコンピュータであるデータベースサーバにアクセスして情報を検索する検索システムにおいて検索情報を管理するシステムであって、
前記ローカル端末は、検索条件を入力する機能と、前記データベースサーバから受け取った検索結果であるバスケット情報を記録する機能と、前記バスケット情報を他のローカル端末に送信する機能を有し、
前記データベースサーバは、前記ローカル端末から受け取った前記バスケット情報に従って前記データベースを検索して該当する情報を抽出する機能を有すると共に、検索結果を記録したバスケット情報を作成し、前記抽出した情報と前記バスケット情報を前記ローカル端末に送信する機能を有することを特徴とする検索情報管理システム。
【発明の詳細な説明】
【０００１】
【産業上の利用分野】
本発明は、データベースの検索情報を複数の端末で共有するための検索情報管理方法およびシステムに関する。
【０００２】
【従来の技術】
従来よりコンピュータネットワークを利用して、端末装置からデータベースにアクセスして情報を検索することが行われている。近年では、端末装置側にＷｅｂブラウザを搭載することにより、より簡易に検索システムを構築することが可能になってきている。
【０００３】
【発明が解決しようとする課題】
しかしながら、従来の検索システムでは、Ｗｅｂブラウザ上からデータベースを利用したり、メンテナンスしたりする場合、ログアウトした際にセッションが切れると、以前検索した検索結果の情報が破棄されてしまい、同じ内容を検索するときなどに非常に手間がかかっていた。例えば、検索したバスケット情報を再利用したり、他者が流用して利用するということはできず、同じ情報を検索する場合においては効率的ではなかった。
【０００４】
上記のような点に鑑み、本発明は、データベースを利用して検索した情報を用いて、他者が効率的に検索を行うことを可能とする検索情報管理方法およびシステムを提供することを課題とする。
【０００５】
【課題を解決するための手段】
上記課題を解決するため、本発明では、利用者もしくは管理者が利用する複数のローカル端末から、データベースを管理するサーバコンピュータであるデータベースサーバにアクセスして情報を検索する検索システムにおいて検索情報を管理する方法として、第１のローカル端末から検索結果であるバスケット情報を第２のローカル端末に送信する段階、前記第２のローカル端末から前記バスケット情報を前記データベースサーバに送信する段階、前記第２のローカル端末から受け取ったバスケット情報に従って前記データベースサーバがデータベースを検索して該当する情報を抽出する段階、前記抽出した情報と前記バスケット情報を前記第２のローカル端末に送信する段階を実行するようにしたことを特徴とする。本発明によれば、あるローカル端末から受け取ったバスケット情報を他のローカル端末が利用してデータベースサーバに検索を行わせ、データベースサーバは、バスケット情報に新たな検索条件を追加して検索結果と共に検索元のローカル端末に送信するようにしたので、ある端末でデータベースを利用して検索した情報を用いて、他の端末で検索を行うことが可能となり、全体として効率的な検索を行うことを可能となる。
【０００６】
【発明の実施の形態】
以下、本発明の好適な実施形態について、図面を参照して詳細に説明する。
（システム構成）
図１は、本発明に係る検索情報管理システムの一実施形態を示す構成図である。図１において、１０ａ、１０ｂ、１０ｃはローカル端末、２０はネットワーク、３０は管理サーバ、４０はデータベースである。
【０００７】
ローカル端末１０は、データベースの利用者、管理者等が利用するコンピュータ端末であり、Ｗｅｂブラウザ機能を備えている。ローカル端末１０としては、Ｗｅｂブラウザ機能を備えていれば、パソコン、携帯電話機、ＰＤＡ（Ｐｅｒｓｏｎａｌ  Ｄｉｇｉｔａｌ  Ａｓｓｉｓｔａｎｔ：携帯情報端末）等周知の種々の端末が利用可能である。なお、図１の例では、ローカル端末１０として１０ａ〜１０ｃの３つだけを図示しているが、実際には、さらに多く接続可能であることは言うまでもない。ネットワーク２０は、データの送受信が可能な通信回線であり、有線・無線を問わない。
【０００８】
管理サーバ３０は、ＷＷＷサーバ機能、メールサーバ機能およびデータベース管理機能を備えたサーバコンピュータであり、データベース４０に記憶されているデータを管理する機能を有している。データベース４０は、登録された情報を記憶する機能を有しており、大容量のハードディスク等で実現される。
【０００９】
（処理の流れ）
続いて、図１に示した検索情報管理システムの処理動作について説明する。本実施形態では、データベースに記録されている素材情報を、複数の作業者が連携して編集する場合を例にとって説明する。まず、あるローカル端末１０で検索を行ってバスケット情報を作成するまでの処理を、図２のフローチャートを用いて説明する。なお、バスケット情報とは、他のローカル端末に渡すために検索結果を一時的に保存した情報を意味する。まず、ローカル端末１０ａでＷｅｂブラウザを起動させ、ネットワーク２０を介して管理サーバ３０にアクセスする（ステップＳ１）。続いて、ローカル端末１０ａから検索条件を入力して、管理サーバ３０に送信する（ステップＳ２）。管理サーバ３０では、ローカル端末１０ａから受け取った検索条件を用いてデータベース４０を検索し、検索条件に該当する情報を抽出する（ステップＳ３）。この際、抽出した情報が複数ある場合は、一覧表示画面を作成する。続いて、管理サーバ３０は、抽出した情報もしくは作成した一覧画面等の検索結果をローカル端末１０ａに送信する（ステップＳ４）。ローカル端末１０ａでは、Ｗｅｂブラウザが検索結果を画面に表示させる（ステップＳ５）。これにより利用者は検索結果を確認できることになる。
【００１０】
検索結果としては、素材の画像情報と、その他の情報が一覧表示される。この状態で、利用者がバスケット読み込みボタンをクリックすると、表示されている検索結果がバスケット情報として記録される（ステップＳ６）。実際には、検索結果を保持している管理サーバ３０側でバスケット情報を作成し、同じものをローカル端末１０ａに送信する。ここで、バスケットに記録される項目を図３に示す。図３に示すように、バスケット情報としては、素材ＩＤ、素材種別ＩＤ、素材種別名、更新日時、更新ユーザ、登録日時、登録ユーザの各項目が記録されている。素材ＩＤとは、素材を特定するためのＩＤであり、素材を記録したファイルのファイル名等を利用しても良い。素材種別ＩＤは、素材の種別を特定するＩＤであり、素材種別名は、素材種別ＩＤの名称である。更新日時は、その素材を更新した最新の日時であり、更新ユーザは、最新の更新を行ったユーザを示す。登録日時は、その素材を最初に登録した日時であり、登録ユーザは、その素材を最初に登録したユーザを示す。なお、これらの項目のうち、必須なのは素材ＩＤだけである。
【００１１】
さらに、条件を絞り込んで検索する場合は、新たな検索条件を入力して上記ステップＳ２からステップＳ６の処理を繰り返すことにより、検索結果を絞り込むと共にバスケット情報を更新する。このようにして得られたバスケット情報を利用して、作業者は素材の編集等を行う。
【００１２】
続いて、バスケット情報を用いて検索を行う場合について図４のフローチャートを用いて説明する。ローカル端末１０ａで作業を行った作業者は、自分が作業を行なった素材が含まれたバスケット情報をローカル端末１０ｂに送信する（ステップＳ１１）。具体的には、バスケット情報は、ローカル端末１０ａから、メールサーバとしての機能を有する管理サーバ３０に送信され、ローカル端末１０ｂが自分宛の電子メールとして保管されているバスケット情報を取得することになる。ローカル端末１０ｂは、バスケット情報を受け取ったら、Ｗｅｂブラウザを起動させ、ネットワーク２０を介して管理サーバ３０にアクセスする（ステップＳ１２）。続いて、ローカル端末１０ｂからバスケット情報を管理サーバ３０に送信する（ステップＳ１３）。管理サーバ３０では、ローカル端末１０ｂから受け取ったバスケット情報に記録された素材ＩＤを用いてデータベース４０を検索し、素材ＩＤで特定される素材情報を抽出する（ステップＳ１４）。この際、上記ステップＳ３と同様に、抽出した情報が複数ある場合は、一覧表示画面を作成する。続いて、管理サーバ３０は、抽出した情報もしくは作成した一覧画面等の検索結果をローカル端末１０ｂに送信する（ステップＳ１５）。ローカル端末１０ｂでは、Ｗｅｂブラウザが検索結果を画面に表示させる（ステップＳ１６）。これにより利用者は、自分では検索条件を指定せず、バスケット情報を利用して素材情報を抽出できたことになる。受け取ったバスケット情報に含まれる素材に対して作業者は編集処理を行うことになる。
【００１３】
このようにして得られたバスケット情報は、さらに他のローカル端末１０に送信し、受け取ったローカル端末１０で利用して検索を行うことができる。例えば、上記の例のように、ローカル端末１０ａで作成し、ローカル端末１０ｂが受け取ったバスケット情報は、ローカル端末１０ａでもローカル端末１０ｃでも流用することが可能である。
【００１４】
以上、本発明の好適な実施形態について説明したが、本発明は上記実施形態に限定されず、種々の変形が可能である。例えば、上記実施形態では、素材の編集を複数の作業者で行う場合を例にとって説明したが、単に自分が検索した情報を通知するために利用することも可能である。
【００１５】
【発明の効果】
以上、説明したように本発明によれば、利用者もしくは管理者が利用する複数のローカル端末から、データベースを管理するサーバコンピュータであるデータベースサーバにアクセスして情報を検索する検索システムにおいて検索情報を管理する方法として、第１のローカル端末から検索結果であるバスケット情報を第２のローカル端末に送信する段階、前記第２のローカル端末から前記バスケット情報を前記データベースサーバに送信する段階、前記第２のローカル端末から受け取ったバスケット情報に従って前記データベースサーバがデータベースを検索して該当する情報を抽出する段階、前記抽出した情報と前記バスケット情報を前記第２のローカル端末に送信する段階を実行するようにしたので、ある端末でデータベースを利用して検索した情報を用いて、他の端末で検索を行うことが可能となり、全体として効率的な検索を行うことを可能となるという効果を奏する。
【図面の簡単な説明】
【図１】本発明に係る検索情報管理システムの一実施形態を示す構成図である。
【図２】ローカル端末でバスケット情報を作成する処理の概要を示すフローチャートである。
【図３】バスケット情報の一例を示す図である。
【図４】他のローカル端末から受け取ったバスケット情報を利用して検索結果を確認する処理の概要を示すフローチャートである。
【符号の説明】
１０・・・ローカル端末
２０・・・ネットワーク
３０・・・管理サーバ
４０・・・データベース
【図１】
2004355515.tif 000003
【図２】
2004355515.tif 000004
【図３】
2004355515.tif 000005
【図４】
2004355515.tif 000006